(57)【要約】  照合対象者の眼を含む画像に基づいて、着色コンタクトレンズが装用されているか否かを判定する判定部と、前記判定部により前記着色コンタクトレンズが装用されていると判定された場合に、前記画像に含まれる虹彩の領域のうち前記虹彩の外周を含む所定範囲を除いた領域から抽出された特徴量を用いて前記虹彩の照合を行う照合部と、を備える。
2019044943.tif 000002
【特許請求の範囲】
【請求項１】
照合対象者の眼を含む画像に基づいて、着色コンタクトレンズが装用されているか否かを判定する判定部と、
前記判定部により前記着色コンタクトレンズが装用されていると判定された場合に、前記画像に含まれる虹彩の領域のうち前記虹彩の外周を含む所定範囲を除いた領域から抽出された特徴量を用いて前記虹彩の照合を行う照合部と、
を備えることを特徴とする虹彩照合システム。
【請求項２】
前記所定範囲は、前記虹彩の外周及び内周の位置に応じて定められることを特徴とする請求項１に記載の虹彩照合システム。
【請求項３】
前記所定範囲は、前記虹彩の外周半径及び内周半径に応じて定められることを特徴とする請求項１又は２に記載の虹彩照合システム。
【請求項４】
前記所定範囲は、前記虹彩の外周の端部を含み、かつ前記虹彩の外周から内周に向かって６割以上の幅を有する円環である
ことを特徴とする請求項１乃至３のいずれか１項に記載の虹彩照合システム。
【請求項５】
前記所定範囲は、前記虹彩の外周の端部を含み、前記虹彩の外周から内周に向かって６割の幅を有する円環である
ことを特徴とする請求項１乃至４のいずれか１項に記載の虹彩照合システム。
【請求項６】
前記判定部は、前記着色コンタクトレンズの着色箇所を更に判定し、
前記所定範囲は、前記着色箇所に基づいて定められる
ことを特徴とする請求項１に記載の虹彩照合システム。
【請求項７】
前記照合部は、前記判定部により前記着色コンタクトレンズが装用されていないと判定された場合に、前記虹彩の全体を特徴量の抽出範囲として照合を行う
ことを特徴とする請求項１乃至６のいずれか１項に記載の虹彩照合システム。
【請求項８】
前記画像から前記虹彩の側部を含む判定対象画像を抽出する抽出部を更に備え、
前記判定部は、前記判定対象画像に基づいて、前記着色コンタクトレンズが装用されているか否かを判定する
ことを特徴とする請求項１乃至７のいずれか１項に記載の虹彩照合システム。
【請求項９】
前記判定部により前記着色コンタクトレンズが装用されていると判定された場合に、前記照合対象者に対し対光反射による瞳孔の収縮を起こさせるための処理を行う処理部を更に備える
ことを特徴とする請求項１乃至８のいずれか１項に記載の虹彩照合システム。
【請求項１０】
前記判定部により前記着色コンタクトレンズが装用されていると判定された場合に、前記照合対象者に対し前記着色コンタクトレンズを回転させるための処理を行う処理部を更に備える
ことを特徴とする請求項１乃至８のいずれか１項に記載の虹彩照合システム。
【請求項１１】
照合対象者の眼を含む画像に基づいて、着色コンタクトレンズが装用されているか否かを判定するステップと、
前記着色コンタクトレンズが装用されていると判定された場合に、前記画像に含まれる虹彩の領域のうち前記虹彩の外周を含む所定範囲を除いた領域から抽出された特徴量を用いて前記虹彩の照合を行うステップと、
を備えることを特徴とする虹彩照合方法。
【請求項１２】
コンピュータに、
照合対象者の眼を含む画像に基づいて、着色コンタクトレンズが装用されているか否かを判定するステップと、
前記着色コンタクトレンズが装用されていると判定された場合に、前記画像に含まれる虹彩の領域のうち前記虹彩の外周を含む所定範囲を除いた領域から抽出された特徴量を用いて前記虹彩の照合を行うステップと、
を実行させることを特徴とするプログラムが記憶された記憶媒体。
【発明の詳細な説明】
【技術分野】
【０００１】
本発明は、虹彩照合システム、虹彩照合方法及び記憶媒体に関する。
【背景技術】
【０００２】
特許文献１には、虹彩画像を用いた個人認証方法が開示されている。当該個人認証方法では、上まぶたの下方にマスク領域を設定し、マスク領域を除外した虹彩領域の画像を用いて認証を行うことにより、まつげが認証精度に及ぼす影響が低減される旨が開示されている。
【先行技術文献】
【特許文献】
【０００３】
【特許文献１】特開２００４−２０６４４４号公報
【発明の概要】
【発明が解決しようとする課題】
【０００４】
近年、コンタクトレンズの一部に着色領域が設けられた着色コンタクトレンズが市販されている。着色コンタクトレンズを眼に装用することにより、虹彩の色を変化させたり、虹彩を大きく見せたりする装飾効果が得られることから、着色コンタクトレンズの普及が進んでいる。【０００５】
特許文献１のような虹彩の照合を行う際に、照合対象者が着色コンタクトレンズを装用していると、虹彩の一部の外観が変化するため、虹彩の照合精度が劣化する場合がある。【０００６】
本発明は、上述の課題に鑑みてなされたものであって、照合対象者が着色コンタクトレンズを装用している場合における照合精度に対する影響を低減することができる虹彩照合システム、虹彩照合方法及び記憶媒体を提供することを目的とする。
【課題を解決するための手段】
【０００７】
本発明の一観点によれば、照合対象者の眼を含む画像に基づいて、着色コンタクトレンズが装用されているか否かを判定する判定部と、前記判定部により前記着色コンタクトレンズが装用されていると判定された場合に、前記画像に含まれる虹彩の領域のうち前記虹彩の外周を含む所定範囲を除いた領域から抽出された特徴量を用いて前記虹彩の照合を行う照合部と、を備えることを特徴とする虹彩照合システムが提供される。【０００８】
本発明の他の観点によれば、照合対象者の眼を含む画像に基づいて、着色コンタクトレンズが装用されているか否かを判定するステップと、前記着色コンタクトレンズが装用されていると判定された場合に、前記画像に含まれる虹彩の領域のうち前記虹彩の外周を含む所定範囲を除いた領域から抽出された特徴量を用いて前記虹彩の照合を行うステップと、を備えることを特徴とする虹彩照合方法が提供される。【０００９】
本発明の更に他の観点によれば、コンピュータに、照合対象者の眼を含む画像に基づいて、着色コンタクトレンズが装用されているか否かを判定するステップと、前記着色コンタクトレンズが装用されていると判定された場合に、前記画像に含まれる虹彩の領域のうち前記虹彩の外周を含む所定範囲を除いた領域から抽出された特徴量を用いて前記虹彩の照合を行うステップと、を実行させることを特徴とする記憶媒体が提供される。
【発明の効果】
【００１０】
本発明によれば、照合対象者が着色コンタクトレンズを装用している場合における照合精度に対する影響を低減することができる虹彩照合システム、虹彩照合方法及び記憶媒体を提供することができる。
【図面の簡単な説明】
【００１１】
【図１】第１実施形態に係る虹彩照合システムのハードウェア構成例を示すブロック図である。
【図２】第１実施形態に係る虹彩照合システムの機能ブロック図である。
【図３】第１実施形態に係る虹彩照合システムにより行われる処理の概略を示すフローチャートである。
【図４】第１実施形態に係る着色コンタクトレンズの装用判定処理を示すフローチャートである。
【図５】第１実施形態に係る判定対象画像の抽出を模式的に示す図である。
【図６】第１実施形態に係る判定対象画像のサイズ変更を模式的に示す図である。
【図７】第１実施形態に係る判定処理を模式的に示す図である。
【図８】第１実施形態に係る照合精度向上処理の第１の例を示すフローチャートである。
【図９】第１実施形態に係る照合精度向上処理の第２の例を示すフローチャートである。
【図１０】第１実施形態に係る照合精度向上処理の第３の例を示すフローチャートである。
【図１１】第１実施形態に係る照合精度向上処理の第３の例の変形例を示すフローチャートである。
【図１２】第１実施形態に係る虹彩照合処理を示すフローチャートである。
【図１３】第１実施形態に係る特徴量の抽出範囲の設定を模式的に示す図である。
【図１４】第２実施形態に係る虹彩照合システムの機能ブロック図である。
【図１５】第３実施形態に係る画像処理システムの機能ブロック図である。
【図１６】第４実施形態に係る虹彩照合システムの機能ブロック図である。
【発明を実施するための形態】
【００１２】
以下、図面を参照して、本発明の例示的な実施形態を説明する。図面において同様の要素又は対応する要素には同一の符号を付し、その説明を省略又は簡略化することがある。
【００１３】
［第１実施形態］
図１は、本発明の第１実施形態に係る虹彩の照合を行う虹彩照合システム１０のハードウェア構成例を示すブロック図である。虹彩照合システム１０は、例えば、携帯電話、スマートフォン、タブレットＰＣ（Personal  Computer）、ラップトップＰＣ、デスクトップＰＣ等のコンピュータ又は情報通信端末であり得る。虹彩照合システム１０は生体照合の一種である虹彩照合の機能を備える。虹彩照合システム１０は、照合対象者であるユーザの虹彩を撮影し、登録されている虹彩画像と照合することにより虹彩照合を行う。瞳孔の開口径を調整する虹彩の模様は万人不同かつ終生不変である。そのため、照合時に取得した虹彩の模様をあらかじめ登録されている虹彩の画像と照合することにより本人確認が可能である。以下の説明では、虹彩照合システム１０は、一例としてスマートフォンに搭載されているものとし、虹彩照合は、ユーザのログイン時の本人確認のために行われるものを想定するが、これに限られるものではない。
【００１４】
虹彩照合システム１０は、演算及び記憶を行うコンピュータとしての機能を実現するため、ＣＰＵ（Central  Processing  Unit）１０１、ＲＡＭ（Random  Access  Memory）１０２、ＲＯＭ（Read  Only  Memory）１０３及びフラッシュメモリ１０４を備える。また、虹彩照合システム１０は、通信Ｉ／Ｆ（インターフェース）１０５、表示装置１０６、入力装置１０７、可視光照射装置１０８、可視光カメラ１０９、赤外線照射装置１１０及び赤外線カメラ１１１を備える。ＣＰＵ１０１、ＲＡＭ１０２、ＲＯＭ１０３、フラッシュメモリ１０４、通信Ｉ／Ｆ１０５、表示装置１０６、入力装置１０７、可視光照射装置１０８、可視光カメラ１０９、赤外線照射装置１１０及び赤外線カメラ１１１は、バス１１２を介して相互に接続される。なお、表示装置１０６、入力装置１０７、可視光照射装置１０８、可視光カメラ１０９、赤外線照射装置１１０及び赤外線カメラ１１１は、これらの装置を駆動するための不図示の駆動装置を介してバス１１２に接続されてもよい。
【００１５】
図１では、虹彩照合システム１０を構成する各部が一体の装置として図示されているが、これらの機能の一部は外付け装置により構成されていてもよい。例えば、可視光照射装置１０８、可視光カメラ１０９、赤外線照射装置１１０又は赤外線カメラ１１１は、ＣＰＵ１０１等を含むコンピュータの機能を構成する部分とは別の外付け装置であってもよい。
【００１６】
ＣＰＵ１０１は、ＲＯＭ１０３、フラッシュメモリ１０４等に記憶されたプログラムに従って所定の動作を行うとともに、虹彩照合システム１０の各部を制御する機能をも有する。ＲＡＭ１０２は、揮発性記憶媒体から構成され、ＣＰＵ１０１の動作に必要な一時的なメモリ領域を提供する。ＲＯＭ１０３は、不揮発性記憶媒体から構成され、虹彩照合システム１０の動作に用いられるプログラム等の必要な情報を記憶する。フラッシュメモリ１０４は、不揮発性記憶媒体から構成され、赤外線カメラ１１１等で撮影された画像、照合対象の画像、特徴量データ等の記憶を行う記憶装置である。
【００１７】
通信Ｉ／Ｆ１０５は、Ｗｉ−Ｆｉ（登録商標）、４Ｇ等の規格に基づく通信インターフェースであり、他の装置との通信を行うためのモジュールである。表示装置１０６は、液晶ディスプレイ、ＯＬＥＤ（Organic  Light  Emitting  Diode）ディスプレイ等であって、動画、静止画、文字等の表示に用いられる。入力装置１０７は、ボタン、タッチパネル等であって、ユーザが虹彩照合システム１０を操作するために用いられる。表示装置１０６及び入力装置１０７は、タッチパネルとして一体に形成されていてもよい。
【００１８】
可視光照射装置１０８及び可視光カメラ１０９は、例えば、表示装置１０６の表示面等に設けられる。可視光照射装置１０８は、例えば、可視光カメラ１０９による撮影のための光源として用いられる。また、一部の処理においては、可視光照射装置１０８は、ユーザの眼に可視光を照射し、対光反射を起こさせることにより、瞳孔を収縮させる処理を行う可視光照射部として用いられ得る。可視光カメラ１０９は、風景、ユーザの顔、眼等を可視光により撮影し、画像を取得することができる。可視光カメラ１０９には、撮影後の画像処理に適するように、ＣＭＯＳ（Complementary  Metal  Oxide  Semiconductor）イメージセンサ、ＣＣＤ（Charge  Coupled  Device）イメージセンサ等を用いたデジタルカメラが用いられ得る。
【００１９】
赤外線照射装置１１０は、赤外線ＬＥＤ等の赤外光を発する発光素子である。赤外線カメラ１１１には、赤外線に対して感度を有するように構成された受光素子を備えたＣＭＯＳイメージセンサ、ＣＣＤイメージセンサ等を用いたデジタルカメラが用いられ得る。赤外線照射装置１１０から赤外光をユーザの眼に照射し、虹彩で反射した赤外線を赤外線カメラ１１１で撮影することにより、虹彩照合に用いられる虹彩画像を撮影することができる。虹彩画像を赤外線により取得することにより、虹彩の色によらず高コントラストな画像が得られ、かつ角膜による反射の影響を低減することができる。しかしながら、これらの影響が問題とならない場合には、可視光カメラ１０９を用いて虹彩画像を撮影してもよい。この場合、赤外線照射装置１１０及び赤外線カメラ１１１を省略することができる。また、可視光カメラが可視光に加えて赤外線による画像を取得可能なカメラである場合にも赤外線カメラ１１１を省略することができる。なお、赤外線照射装置１１０から照射される赤外線の波長は、例えば、８００ｎｍ程度の近赤外領域であり得る。
【００２０】
なお、図１に示されているハードウェア構成は例示であり、これら以外の装置が追加されていてもよく、一部の装置が設けられていなくてもよい。また、一部の装置が同様の機能を有する別の装置に置換されていてもよい。更に、一部の機能がネットワークを介して他の装置により提供されてもよく、本実施形態を構成する機能が複数の装置に分散されて実現されるものであってもよい。例えば、フラッシュメモリ１０４は、ＨＤＤ（Hard  Disk  Drive）に置換されていてもよく、クラウドストレージに置換されていてもよい。
【００２１】
図２は、第１実施形態に係る虹彩照合システム１０の機能ブロック図である。虹彩照合システム１０は、画像取得部１２１、瞳孔検出部１２２、虹彩検出部１２３、判定対象画像抽出部１２４、サイズ変更部１２５、評価値算出部１２６、判定部１２７、処理部１２８、表示部１２９、抽出範囲設定部１３０、特徴量算出部１３１、照合部１３２及び記憶部１３３を有する。
【００２２】
ＣＰＵ１０１は、赤外線照射装置１１０及び赤外線カメラ１１１を制御することにより、ユーザの眼の赤外線画像を取得する画像取得部１２１の機能を実現する。ＣＰＵ１０１は、ＲＯＭ１０３等に記憶されたプログラムをＲＡＭ１０２にロードして実行することにより、瞳孔検出部１２２、虹彩検出部１２３、判定対象画像抽出部１２４、サイズ変更部１２５、評価値算出部１２６、判定部１２７、処理部１２８、抽出範囲設定部１３０、特徴量算出部１３１及び照合部１３２の機能を実現する。これらの各部で行われる処理については後述する。表示部１２９は、取得した画像、ユーザへのメッセージ等を表示する。ＣＰＵ１０１は、表示装置１０６を制御することにより表示部１２９の機能を実現する。記憶部１３３は、画像取得部１２１により取得された虹彩画像、あらかじめ登録されている虹彩画像、これらの虹彩画像から算出された特徴量等のデータを記憶する。ＣＰＵ１０１は、フラッシュメモリ１０４を制御することにより記憶部１３３の機能を実現する。
【００２３】
図３は、第１実施形態に係る虹彩照合システム１０により行われる処理の概略を示すフローチャートである。ステップＳ１００において、虹彩照合システム１０は、ユーザの眼を含む画像に基づいて、ユーザの眼に着色コンタクトレンズが装用されているか否かを判定する。
【００２４】
着色コンタクトレンズとは、レンズの一部に着色部が設けられているコンタクトレンズである。着色コンタクトレンズは、カラーコンタクトレンズ、サークルコンタクトレンズ、コスメティックコンタクトレンズと呼ばれることもある。着色コンタクトレンズを装用することにより、虹彩の色を変化させたり、虹彩を大きく見せたりする装飾効果を得ることができる。多くの場合、着色コンタクトレンズの着色領域は、主として虹彩の外周の近傍に対応する部分に設けられており、瞳孔に対応する部分は透明である。これは、虹彩を大きく見せる装飾効果を得つつ、視界を損なわないようにするためである。
【００２５】
ユーザが着色コンタクトレンズを装用することにより虹彩の模様等が変化するため、虹彩照合の精度に影響を与える場合がある。虹彩の画像の登録は、通常着色コンタクトレンズを装用せずに行われる。そのため、照合時に着色コンタクトレンズを装用していると、登録時と照合時の虹彩の模様等が一致しなくなるためである。そのため、ステップＳ１００では、虹彩照合に先立って、ユーザの眼を含む画像に基づいて、着色コンタクトレンズが装用されているか否かの判定を行う。着色コンタクトレンズの装用の有無に基づいて、後続する処理の内容をより適したものにすることができる。
【００２６】
ステップＳ２００において、虹彩照合システム１０は、照合精度を向上させるための処理を行う。この処理は、主として、ステップＳ１００において、着色コンタクトレンズが装用されていると判定された場合に、着色コンタクトレンズに起因する虹彩照合の精度劣化を低減するために行われるものである。
【００２７】
ステップＳ３００において、虹彩照合システム１０は、照合時に撮影したユーザの虹彩を含む画像と、あらかじめ登録されているユーザの虹彩を含む画像とを照合する。本ステップの照合処理において、ステップＳ１００の着色コンタクトレンズの装用の判定結果に応じて処理内容を変化させることができる。着色コンタクトレンズが装用されている場合には、虹彩照合システム１０は、画像に含まれる虹彩の領域のうち虹彩の外周を含む所定範囲を除いた領域から抽出された特徴量を用いて虹彩の照合を行う。
【００２８】
図３に示したステップＳ１００からステップＳ３００の処理のすべてを実行することは必須ではなく、一部を省略した実施形態も本発明の範疇に含まれる。例えば、ステップＳ２００の照合精度向上処理を省略して処理を簡略化してもよい。また、別の装置により着色コンタクトレンズの装用有無をあらかじめ判定しておくこと、あるいはユーザに着色コンタクトレンズの装用有無を入力させることにより、ステップＳ１００の処理を省略して処理を簡略化してもよい。また、ステップＳ１００の着色コンタクトレンズの装用を判定する処理を単独で実行する画像処理システムも本発明の範疇に含まれる。また、ステップＳ１００からステップＳ３００の処理は複数の装置が協働して実行するものであってもよい。
【００２９】
図４乃至図７を参照しつつ、図３のステップＳ１００における着色コンタクトレンズの装用判定処理の具体例を説明する。図４は、第１実施形態に係る着色コンタクトレンズの装用判定処理を示すフローチャートである。図４の処理は、図３のステップＳ１００の処理をより具体化したものである。
【００３０】
ステップＳ１０１において、画像取得部１２１は、ユーザの眼を含む画像を取得する。取得された画像は記憶部１３３に記憶される。典型的には、この画像は赤外線により取得されたものであるため、グレースケールの画像である。また、画像のサイズは、例えば、横６４０ピクセル×縦４８０ピクセルである。ただし、後述の処理によりサイズの変更が行われるので、これ以外のサイズであってもよい。なお、本明細書において、画像の大きさ、対象物の長さ等のサイズを示す用語は、ピクセル数のような規格化された無次元量で規定される場合があり、ミリメートル等の長さの次元を有する単位により規定されるものに限られない。また、ユーザの眼を含む画像は、赤外線により取得されたものに限られず、可視光により取得されたものであってもよい。
【００３１】
ステップＳ１０２において、瞳孔検出部１２２は、ステップＳ１０１で取得された眼を含む画像から、瞳孔を検出し、瞳孔の位置を特定する。特定された瞳孔の位置は、記憶部１３３に記憶される。瞳孔の形状は、円形として近似することができる。そのため、瞳孔の位置は、例えば、瞳孔の中心座標と半径により表現することができる。なお、瞳孔の領域は、例えば、所定値よりも低い輝度のピクセルを抽出することにより検出することができる。
【００３２】
ステップＳ１０３において、虹彩検出部１２３は、ステップＳ１０１で取得された眼を含む画像から、虹彩を検出し、虹彩の位置を特定する。特定された虹彩の位置は、記憶部１３３に記憶される。瞳孔検出部１２２及び虹彩検出部１２３はより一般的に検出部と呼ばれることもある。虹彩の形状は、瞳孔を内包する円環形状として近似することができ、そのため、虹彩の位置は、例えば、虹彩の中心座標、外周半径及び内周半径により表現することができる。虹彩の内周半径は、瞳孔の半径に相当するため、虹彩の位置を示す情報から省略してもよい。なお、虹彩は、例えば、虹彩の外周と強膜（いわゆる白目）との境界における輝度変化を抽出することにより検出することができる。ここで検出される虹彩は、ユーザの虹彩自体だけでなく、着色コンタクトレンズに施されている虹彩を模した模様を含む。そのため、本明細書では、虹彩と着色コンタクトレンズに施されている模様とを含む、外見上虹彩に見える領域全体を虹彩と呼ぶことがある。なお、ステップＳ１０２及びステップＳ１０３の順序は逆であってもよい。あるいは、ステップＳ１０２及びステップＳ１０３は、並行して行われるものであってもよく、１つの処理として行われてもよい。
【００３３】
ステップＳ１０４において、判定対象画像抽出部１２４は、ステップＳ１０１で取得された眼を含む画像から虹彩の側部を含む２つの判定対象画像を抽出する。ここで、虹彩の側部とは、虹彩の外周における白目との境界であって、主にまぶたに隠れる上下を除いた左右の部分を指す。抽出された判定対象画像は記憶部１３３に記憶される。２つの判定対象画像は、着色コンタクトレンズの装用判定に用いられる。図５を参照して、判定画像の抽出について詳細に説明する。
【００３４】
図５は、第１実施形態に係る判定対象画像の抽出を模式的に示す図である。図５には、ステップＳ１０１で取得された画像に含まれる眼９０、瞳孔９１及び虹彩９２が模式的に示されている。判定対象画像抽出部１２４は、眼９０の画像から２つの判定対象画像Ｒ１、Ｒ２を抽出する。なお、判定対象画像抽出部１２４は、単に抽出部と呼ばれることもある。
【００３５】
図５に示されるように、判定対象画像Ｒ１、Ｒ２は、虹彩９２の左側の側部及び右側の側部をそれぞれ含むように抽出される。判定対象画像Ｒ１、Ｒ２は、一辺の長さがＳ（ピクセル）の正方形である。また、当該正方形の辺のうちの眼９０に対して上下方向の一辺は虹彩９２の中心を通過する線分である。一辺の長さであるＳは、虹彩の外周半径をＩｒ１（ピクセル）としたとき、Ｓ＝Ｉｒ１＋ｍとなるように設定される。ここで、ｍは、判定対象画像Ｒ１、Ｒ２が虹彩の側部を含み、かつ虹彩９２の上端及び下端をいずれも含まないように設定された所定の値であり、例えば３０ピクセルに設定される。
【００３６】
判定対象画像Ｒ１、Ｒ２の位置をこのように設定する理由を説明する。着色コンタクトレンズの模様には、虹彩の外周付近に顕著な特徴がある場合が多い。例えば、着色コンタクトレンズを装用している眼は、虹彩の部分と白目の部分との間の輝度変化が大きい場合が多い。そのため、判定対象画像Ｒ１、Ｒ２に、虹彩の外周を含めて判定を行うことにより判別器による着色コンタクトレンズの検出精度が向上する。また、虹彩の上下はまぶた及びまつげにより隠れる場合がある。判定対象画像Ｒ１、Ｒ２にまぶた又はまつげが含まれると、判定精度が劣化する場合がある。そのため、判定対象画像Ｒ１、Ｒ２の位置は、虹彩の側部を含むようにするとともに、虹彩の上端及び下端をいずれも含まないように設定することが望ましい。また、判定対象画像Ｒ１、Ｒ２を広く確保することができるため、正方形の上下方向の一辺を虹彩９２の中心を通過する線分とすることが望ましい。
【００３７】
なお、判定対象画像Ｒ１、Ｒ２は、正方形であることは必須ではない。例えば、判定対象画像Ｒ１、Ｒ２は、長方形であり得る。すなわち、判定対象画像Ｒ１、Ｒ２の形状は、正方形、長方形に限定されないあらゆる形状であり得るものであり、他の例としては、多角形、扇形、曲線を含む図形であってもよい。判定対象画像Ｒ１、Ｒ２が正方形以外の図形の場合、虹彩の側部を含み、かつ虹彩をなるべく広く含むようにするために、判定対象画像Ｒ１、Ｒ２の眼９０に対する水平方向の長さが、虹彩９２の外周半径よりも大きいことが望ましい。
【００３８】
判定対象画像Ｒ１、Ｒ２は、虹彩９２の左右から２つ取得されているが、いずれか１つであってもよい。しかしながら、より精度の高い判定が可能になるため、２つの判定対象画像Ｒ１、Ｒ２を用いることが望ましい。
【００３９】
ステップＳ１０５において、サイズ変更部１２５は、判定対象画像Ｒ１、Ｒ２のサイズを変更する。図６は、第１実施形態に係る判定対象画像のサイズ変更を模式的に示す図である。図６に示されるように、サイズ変更部１２５は、一辺がＳピクセルの判定対象画像Ｒ１、Ｒ２を一辺が３２ピクセルの判定対象画像Ｒ１ａ、Ｒ２ａに縮小することにより、判定対象画像Ｒ１ａ、Ｒ２ａを生成する。サイズを変更する理由は、後続の判別の処理に適するように画像を一定のピクセル数とすることにより後述の判別器による処理を効率化するためである。サイズ変更後の判定対象画像Ｒ１ａ、Ｒ２ａは記憶部１３３に記憶される。一辺が３２ピクセルであることは例示であり、特にこれに限定されるものでない。また、判別器の処理においてサイズを限定することが必須でない場合にはステップＳ１０５の処理は省略してもよい。
【００４０】
図７はステップＳ１０６からステップＳ１０９における判定処理を模式的に示す図である。図４と図７を相互に参照しつつ以降の処理を説明する。本処理を実行する評価値算出部１２６は、例えば、畳み込みニューラルネットワーク（ＣＮＮ：Convolutional  Neural  Network）により構成された判別器を含む。判別器は、着色コンタクトレンズを装用している眼の画像と、着色コンタクトレンズを装用していない眼の画像とを含む多数の画像を教師データとしてあらかじめ機械学習させておくことにより、着色コンタクトレンズの装用の有無を判別できるように構成されている。眼を含む画像を判別器に入力すると、着色コンタクトレンズを装用している可能性を示す評価値を出力する。評価値は、一例として、０から１までの連続値とする。この場合、着色コンタクトレンズを装用していない可能性が高いほど評価値は０に近くなり、着色コンタクトレンズを装用している可能性が高いほど評価値は１に近くなる。
【００４１】
ステップＳ１０６において、評価値算出部１２６の判別器は、２つの判定対象画像Ｒ１ａ、Ｒ２ａのそれぞれに基づいて、２つの評価値Ｖ１、Ｖ２を算出する。評価値は、記憶部１３３に記憶される。
【００４２】
ステップＳ１０７からステップＳ１０９において、判定部１２７は、２つの評価値Ｖ１、Ｖ２に基づいて、着色コンタクトレンズの装用の有無を判定する。より具体的には、ステップＳ１０７において、判定部１２７は、評価値Ｖ１と評価値Ｖ２がいずれも０．９以上であるか否かを判断する。評価値Ｖ１と評価値Ｖ２がいずれも０．９以上である場合（ステップＳ１０７においてＹＥＳ）、判定部１２７は、着色コンタクトレンズが装用されていると判定する（ステップＳ１０８）。評価値Ｖ１と評価値Ｖ２の少なくとも一方が０．９未満である場合（ステップＳ１０７においてＮＯ）、判定部１２７は、着色コンタクトレンズが装用されていないと判定する（ステップＳ１０９）。
【００４３】
このように、ステップＳ１０６からステップＳ１０９における判定処理では、２つの判定対象画像Ｒ１ａ、Ｒ２ａによる判定結果がいずれも着色コンタクトレンズを装用していることを示している場合にのみ着色コンタクトレンズを装用していると判定される。着色コンタクトレンズには様々な種類があり、虹彩の模様等にも個人差がある。そのため、十分な量の教師データを用いて学習を行った場合であっても判別器は誤判別することがある。そこで、判定精度を向上させるため、上述のように２つの判定対象画像Ｒ１ａ、Ｒ２ａの両方を入力し、これらによる判別結果を総合して判定を行うことが望ましい。
【００４４】
ステップＳ１０６からステップＳ１０９における判定処理を１つの判定対象画像を用いて行う場合の処理の例を説明する。評価値算出部１２６の判別器は、１つの判定対象画像から１つの評価値を算出する。その後、判定部１２７は、評価値が０．９以上の場合に着色コンタクトレンズが装用されていると判定し、評価値が０．９未満の場合に着色コンタクトレンズが装用されていないと判定することにより、装用の有無を判定することができる。このように、判定対象画像は１つであってもよい。
【００４５】
以上のように、本実施形態の着色コンタクトレンズの装用判定処理によれば、虹彩の外周の側部を含む判定対象画像に基づいて判定を行うことにより、精度よく着色コンタクトレンズの装用の有無を判定することができる。
【００４６】
なお、図７に示した判定処理には、畳み込みニューラルネットワークによる判別器が用いられているが、これに限定されるものではなく、例えば、虹彩の外周における白目との境界の部分の輝度変化に基づいて着色コンタクトレンズの装用の判定を行ってもよい。
【００４７】
また、ステップＳ１０７の判断は、評価値Ｖ１と評価値Ｖ２の少なくとも一方が０．９以上である場合に、着色コンタクトレンズが装用されていると判定し、評価値Ｖ１と評価値Ｖ２の両方が０．９未満である場合に、着色コンタクトレンズが装用されていないと判定するものであってもよい。また、ステップＳ１０７の判断は、判定対象画像の信頼性等に応じて、評価値Ｖ１、評価値Ｖ２等の複数の評価値の中から１又は２以上の評価値を選択し、判定に用いるものであってもよい。例えば、複数の判定対象画像のうちにノイズ等により信頼性が十分ではないものがある場合には、そのような判定対象画像の評価値を判定の処理から除外することにより判定の精度を向上させることができる。なお、上述の例において、評価値Ｖ１、評価値Ｖ２の判定のための閾値である０．９はあくまでも一例であり、これ以外のあらゆる値に設定され得る。
【００４８】
次に、図８乃至図１０を参照しつつ、図３のステップＳ２００における照合精度向上処理の具体例を説明する。
【００４９】
図８は、第１実施形態に係る照合精度向上処理の第１の例を示すフローチャートである。ステップＳ２０１において、処理部１２８は、ステップＳ１００の判定結果を参照する。ユーザが着色コンタクトレンズを装用していると判定された場合（ステップＳ２０１においてＹＥＳ）、処理はステップＳ２０２に移行する。ユーザが着色コンタクトレンズを装用していないと判定された場合（ステップＳ２０１においてＮＯ）、処理は終了する。
【００５０】
ステップＳ２０２において、処理部１２８は、可視光照射装置１０８を制御してユーザの眼に可視光を照射させる。その後、ステップＳ２０３において、処理部１２８は、画像取得部１２１に眼を含む画像を再取得させる。
【００５１】
眼の網膜に可視光が照射されると、瞳孔が縮小する対光反射が起こる。そのため、虹彩の領域が広くなり、虹彩の模様を取得できる面積が広くなる。したがって、着色コンタクトレンズによる虹彩照合の精度劣化を低減することができる。また、本例では、無意識に起こる反射を利用しているため、照合対象者に何らかの行動を行わせる必要がない。例えば、行政機関での本人確認の場面等において、照合対象者が虹彩照合に協力的でない場合、照合対象者と言葉が通じない場合のように、照合対象者に何らかの行動を行わせることが難しい場合にも本例は適用可能である。
【００５２】
いずれか一方の眼に対して可視光が照射された場合であっても、対光反射による瞳孔の縮小は両方の眼に対して起こる。そのため、可視光を照射させる眼と画像を再取得する眼が異なる眼であってもよい。これにより、照射した可視光の反射による影響を抑制することができる。
【００５３】
図９は、第１実施形態に係る照合精度向上処理の第２の例を示すフローチャートである。図８と同様の処理については適宜説明を省略する。ステップＳ２０４において、処理部１２８は、表示部１２９に明るいものを見るよう促すメッセージを表示させる。具体的なメッセージの例は、「もう一度認証を行うため、一旦明るいものを見てから再びカメラを見てください」というものであり得る。このメッセージに応じてユーザが明るいものを見た後、ステップＳ２０３において、処理部１２８は、画像取得部１２１に眼を含む画像を再取得させる。
【００５４】
本例においても、ユーザが明るいものを見ることにより、対光反射により、瞳孔が縮小し、虹彩の領域が広くなる。したがって、着色コンタクトレンズによる虹彩照合の精度劣化を低減することができる。本例では、上述の第１の例とは異なり、可視光照射装置１０８が設けられていなくても対光反射を利用した照合精度向上処理を行うことができる。なお、メッセージは、「もう一度認証を行うため、一旦照明を見てから再びカメラを見てください」のように見るべきものをより具体的に指示する内容であってもよい。
【００５５】
図８及び図９における瞳孔の縮小を利用した構成において、照合精度がより顕著に向上する例を説明する。ステップＳ１００において着色コンタクトレンズが装用されていると判定された場合、ステップＳ３００の虹彩照合において虹彩の外周付近を特徴量の抽出範囲から除外する処理が行われることがある。このとき、特徴量の抽出に寄与する領域が減少し、虹彩照合の精度が低下することが問題となり得る。このような状況において、図８及び図９における処理を行って瞳孔を縮小させると、虹彩の外周付近ではなく、その反対側である虹彩の内周側の面積を拡大することができる。これにより、虹彩の外周付近が特徴量の抽出範囲から除外された場合にも精度よく虹彩照合を行うことができる。
【００５６】
図１０は、第１実施形態に係る照合精度向上処理の第３の例を示すフローチャートである。図８と同様の処理については適宜説明を省略する。ステップＳ２０５において、処理部１２８は、表示部１２９にまばたきをするよう促すメッセージを表示させる。具体的なメッセージの例は、「もう一度認証を行うため、まばたきをしてから再びカメラを見てください」というものであり得る。このメッセージに応じてユーザがまばたきをした後、ステップＳ２０６において、処理部１２８は、画像取得部１２１に眼を含む画像を追加取得させる。
【００５７】
本例では、ユーザにまばたきをさせることにより着色コンタクトレンズが回転し、着色コンタクトレンズの模様の位置がまばたきの前後で変化する。一方、ユーザの眼の虹彩自体の模様はまばたきをしても変化しない。したがって、まばたきの前後に取得した２つの画像の差分を演算することにより、着色コンタクトレンズの模様とユーザの眼の虹彩の模様とを分離することができ、ユーザの眼の虹彩の模様を抜き出すことで精度よく照合を行うことができる。したがって、着色コンタクトレンズによる虹彩照合の精度劣化を低減することができる。
【００５８】
本例においても、精度向上処理を行うことができる。本例では、明るさの変化による対光反射を利用しないため、明るい場所でも効果が減退しない利点がある。
【００５９】
なお、図１０のフローチャートの処理は、ステップＳ２０６の処理を複数回繰り返すことにより画像を複数回取得する処理に変形してもよい。更に、この場合には、ステップＳ２０５の処理は省略してもよい。人は無意識にまばたきをするので、まばたきを促すメッセージを表示しなくても無意識のまばたきにより着色コンタクトレンズが回転することがある。したがって、メッセージを表示しなくても、繰り返し画像を取得することで、着色コンタクトレンズの模様とユーザの眼の虹彩の模様とを分離するための画像の取得ができることもあり、その場合には上述と同様の効果が得られる。
【００６０】
図１１は、第１実施形態に係る照合精度向上処理の第３の例の変形例を示すフローチャートである。図１１のステップＳ２０７に示されるように、メッセージの内容は、左右を見ることを指示する等、眼を動かすことを促すものであってもよい。具体的なメッセージの例は、「もう一度認証を行うため、一旦左右を見てから再びカメラを見てください」というものであり得る。眼球が動くことにより、着色コンタクトレンズが回転するため、本変形例においても上述のまばたきを促す場合と同様の効果が得られる。
【００６１】
以上のように、本実施形態の照合精度向上処理によれば、着色コンタクトレンズを装用していることによる虹彩照合の精度劣化を低減することができる。
【００６２】
なお、上述の処理において、種々のメッセージは表示部１２９への表示によりユーザに報知されるものとしているが、メッセージの報知方法はこれに限定されるものではない。例えば、音声による報知であってもよい。
【００６３】
図１２及び図１３を参照しつつ、図３のステップＳ３００における虹彩照合処理の具体例を説明する。図１２は、第１実施形態に係る虹彩照合処理を示すフローチャートである。図１２の処理は、図３のステップＳ３００の処理をより具体化したものである。
【００６４】
ステップＳ３０１において、抽出範囲設定部１３０は、ステップＳ１００の判定結果を参照する。ユーザが着色コンタクトレンズを装用していると判定された場合（ステップＳ３０１においてＹＥＳ）、処理はステップＳ３０２に移行する。ユーザが着色コンタクトレンズを装用していないと判定された場合（ステップＳ３０１においてＮＯ）、処理はステップＳ３０３に移行する。
【００６５】
ステップＳ３０２において、抽出範囲設定部１３０は、虹彩の外周付近を除外して特徴量の抽出範囲を設定する。図１３は、第１実施形態に係る特徴量の抽出範囲の設定を模式的に示す図である。図１３に示されるように画像中の虹彩の領域は、マスク領域９３と特徴量抽出領域９４とに区分されている。マスク領域９３は、虹彩の外周及び内周の位置に応じて定められる領域であり、虹彩の領域のうち、後続する照合の処理に用いられる特徴量を抽出しない範囲である。特徴量抽出領域９４は、虹彩の領域のうち、特徴量を抽出する領域であり、マスク領域９３を除く範囲となる。マスク領域９３は、虹彩の外周付近に配される。すなわち、特徴量抽出領域９４は、虹彩の外周を含む所定範囲を除外した範囲となる。
【００６６】
マスク領域９３の範囲は、虹彩の外周端部を含み、かつ虹彩の外周から内周に向かって６割以上の幅を有する円環として定められる。より具体的には、前記虹彩の外周半径をＩｒ１、内周半径をＩｒ２としたとき、マスク領域９３は、外周半径がＩｒ１、内周半径が｛Ｉｒ２＋０．４×（Ｉｒ１−Ｉｒ２）｝となる円環である。
【００６７】
マスク領域９３及び特徴量抽出領域９４をこのように定める理由について説明する。着色コンタクトレンズにおいて、虹彩の外周付近に対応する箇所には、着色箇所（模様）が多く配されている。そのため、着色コンタクトレンズを装用している状態で、虹彩の外周付近を含む領域から特徴量を抽出して虹彩認証を行うと、虹彩の模様の上に着色コンタクトレンズの模様が重なった状態で虹彩照合がなされることとなり、照合精度が低下し得るという問題があった。例えば、登録時の着色コンタクトレンズを装用していない虹彩の模様と、照合時の虹彩の模様の上に着色コンタクトレンズの模様が重なった状態の模様とが合致しないため、同一人物を他人と判定することがあり得た。
【００６８】
特徴量抽出領域９４を虹彩の外周を含む所定範囲を除外した範囲と定めることにより、着色コンタクトレンズの模様が多く配される虹彩の外周付近が特徴量の抽出から除外される。一方、着色コンタクトレンズの虹彩の内周付近に対応する領域には、視界を確保するために模様が配されていないことが多く虹彩照合には影響を与えにくい。そのため、着色コンタクトレンズを装用していることによる虹彩照合の精度劣化を低減することができる。
【００６９】
ユーザが着色コンタクトレンズを装用していない場合におけるステップＳ３０３においては、マスク領域９３は設けられず、虹彩全体に対して特徴量抽出領域９４が設定される。着色コンタクトレンズを装用していない場合には、外周付近を特徴量抽出領域から除外する必要はなく、むしろ除外しない方が特徴量抽出領域を広くすることができるため、照合精度を高くすることができる。そのため、着色コンタクトレンズの装用の有無により、異なる処理を行うことが望ましい。
【００７０】
ステップＳ３０４において、特徴量算出部１３１は、設定された特徴量抽出領域９４の画像に含まれる虹彩の模様等を用いて特徴量を算出する。算出された特徴量は、記憶部１３３に記憶される。
【００７１】
ステップＳ３０５において、照合部１３２は、ステップＳ３０４において取得された特徴量と、あらかじめ記憶部１３３に登録されているユーザの虹彩の特徴量とを照合する。照合により、同一人物の虹彩であると判定された場合、虹彩照合システム１０は、本人確認ができたものと判断し、ログイン等の処理を行う。
【００７２】
以上のように、本実施形態の虹彩照合処理によれば、虹彩の外周を含む所定範囲を除外した範囲を特徴量の抽出範囲とすることにより、照合対象者が着色コンタクトレンズを装用している場合の照合精度に対する影響を低減し得る。
【００７３】
ステップＳ３０２の手法により虹彩の外周付近を除外して特徴量抽出領域９４を設定する場合には、図８及び図９を用いて説明した照合精度向上処理のいずれかを組み合わせることがより有効である。ステップＳ３０２の手法では、マスク領域９３の分だけ特徴量抽出領域９４が狭くなる。図８又は図９の処理を併用することにより、虹彩の範囲を広くすることができるため、特徴量抽出領域９４が狭くなった影響を補償することができる。
【００７４】
上述の処理では、マスク領域９３は、着色コンタクトレンズの模様によらず決定されるので、着色コンタクトレンズの模様を検出する処理を行う必要がなく、高速な処理が可能である。しかしながら、処理速度よりも精度を重視する場合には、着色コンタクトレンズの模様とユーザの虹彩自体の模様とを判別することにより着色コンタクトレンズの着色箇所を判定する処理を追加してもよい。この場合、着色コンタクトレンズの着色箇所がマスク領域９３として設定される。このように、着色コンタクトレンズの着色箇所（模様の形状又は模様が配される領域）を特定できる場合には、虹彩照合を行う際の虹彩の外周付近の領域であるマスク領域９３を、着色コンタクトレンズの着色箇所に基づいて設定することができる。
【００７５】
着色コンタクトレンズの模様とユーザの虹彩自体の模様とを判別する処理の例としては、ｓｎａｋｅｓ法、Ｌｅｖｅｌ  Ｓｅｔ法といった動的輪郭モデルを用いて着色コンタクトレンズの模様の輪郭を探索する手法が挙げられる。また、別の例としては、虹彩を複数の矩形領域に分割し、矩形領域ごとに畳み込みニューラルネットワークを用いて着色コンタクトレンズの模様があるか否かを判別する手法、同心円上に規則的な図形があるか否かを検出する手法、放射状の直線があるか否かを検出する手法等も挙げられる。
【００７６】
上述の実施形態において説明した装置は以下の第２実施形態乃至第４実施形態のようにも構成することができる。
【００７７】
［第２実施形態］
図１４は、第２実施形態に係る虹彩照合システム２０の機能ブロック図である。虹彩照合システム２０は、判定部２０１及び照合部２０２を備える。判定部２０１は、照合対象者の眼を含む画像に基づいて、着色コンタクトレンズが装用されているか否かを判定する。照合部２０２は、判定部２０１により着色コンタクトレンズが装用されていると判定された場合に、画像に含まれる虹彩の領域のうち虹彩の外周を含む所定範囲を除いた領域から抽出された特徴量を用いて虹彩の照合を行う。
【００７８】
本実施形態によれば、照合対象者が着色コンタクトレンズを装用している場合の照合精度に対する影響を低減することができる虹彩照合システム２０を提供することができる。
【００７９】
［第３実施形態］
図１５は、第３実施形態に係る画像処理システム３０の機能ブロック図である。画像処理システム３０は、抽出部３０１及び判定部３０２を備える。抽出部３０１は、眼を含む画像から虹彩の外周の側部を含む判定対象画像を抽出する。判定部３０２は、判定対象画像に基づいて、着色コンタクトレンズが装用されているか否かを判定する。
【００８０】
本実施形態によれば、精度よく着色コンタクトレンズの装用の有無を判定することができる画像処理システム３０を提供することができる。
【００８１】
［第４実施形態］
図１６は、第４実施形態に係る虹彩照合システム４０の機能ブロック図である。虹彩照合システム４０は、判定部４０１及び処理部４０２を備える。判定部４０１は、照合対象者の眼を含む画像に基づいて、着色コンタクトレンズが装用されているか否かを判定する。処理部４０２は、判定部４０１により着色コンタクトレンズが装用されていると判定された場合に、虹彩照合の精度を向上させる処理を前記照合対象者に対して行う。
【００８２】
本実施形態によれば、着色コンタクトレンズを装用していることによる虹彩照合の精度劣化を低減することができる虹彩照合システム４０を提供することができる。
【００８３】
［変形実施形態］
本発明は、上述の実施形態に限定されることなく、本発明の趣旨を逸脱しない範囲において適宜変更可能である。
【００８４】
上述の実施形態の虹彩照合システムは、一例として挙げたログイン時の認証だけでなく、種々の本人確認に用いられ得る。例えば、上述の実施形態の虹彩照合システムは、空港・海港・国境における入出国のための本人確認、行政機関における本人確認、工場・事業所への入退場のための本人確認、イベント会場への入場時の本人確認等に適用され得る。
【００８５】
上述の各実施形態において、虹彩照合に用いられる画像の取得は、認証対象者の片目に対して行ってもよく、両目に対して行ってもよい。片目の画像のみを取得する場合、処理速度の向上、記憶容量の削減の効果があり、両目の画像を取得する場合、認証精度が向上する効果がある。
【００８６】
上述の各実施形態においては、取得した虹彩の画像の特徴量とあらかじめ登録されている虹彩の特徴量とを照合する場面、すなわち虹彩照合における処理を例示している。しかしながら、上述の各実施形態は、適宜変形を施すことにより、虹彩の画像又は虹彩の特徴量の登録の場面にも適用可能である。具体的にはステップＳ３００の虹彩照合処理を虹彩登録処理に置き換えることにより登録の場面に変形することが可能である。ここで、虹彩登録処理は、例えば、虹彩の画像を取得して特徴量を算出し、虹彩の特徴量を記憶する処理であり得る。
【００８７】
上述の各実施形態においては、ステップＳ２０１の処理においてユーザが着色コンタクトレンズを装用していると判定された場合には、ステップＳ２０２、Ｓ２０４又はＳ２０５の処理が行われているが、この処理は例示した以外のものであってもよい。例えば、ユーザが着色コンタクトレンズを装用していると判定された場合に、ユーザに対して着色コンタクトレンズを外すように指示するメッセージを表示するものであってもよい。あるいは、ユーザが着色コンタクトレンズを装用していると判定された場合に、照合又は登録が失敗したものとして扱ってもよい。この場合、処理の失敗をメッセージ、アラーム等でユーザに通知して再度の照合又は登録を促してもよく、処理の失敗を通知して処理を終了してもよい。なお、これらの処理は、ステップＳ２０２、Ｓ２０４又はＳ２０５の処理に代えて行われるものであってもよく、ステップＳ２０２、Ｓ２０４又はＳ２０５の処理と並行して行われるものであってもよい。
【００８８】
上述のように、着色コンタクトレンズを外す指示又は照合を行う処理又は登録が失敗したものとして扱う処理を行うことによる効果について、虹彩の登録の場面の例で説明する。虹彩の登録の場面では、本人確認の重要性が高いため、登録された虹彩が本人のものであることの確実性を高める必要がある。この確実性の要求は、特に、入国管理又は国民ＩＤ（Identification）のような重要な認証を行う場面でより顕著である。着色コンタクトレンズを装用した状態で登録がなされてしまうと、本人確認の機能が損なわれる。そのため、着色コンタクトレンズを装用した状態で登録をしようとした場合には、何らかの警告を発するとともに登録できないようにすることで、本人確認の確実性を維持することができる。これにより、虹彩照合システムの精度が向上される。また、着色コンタクトレンズを利用した多重登録を防止することもできる。
【００８９】
上述の実施形態の機能を実現するように該実施形態の構成を動作させるプログラムを記憶媒体に記録させ、記憶媒体に記録されたプログラムをコードとして読み出し、コンピュータにおいて実行する処理方法も各実施形態の範疇に含まれる。すなわち、コンピュータ読取可能な記憶媒体も各実施形態の範囲に含まれる。また、上述のプログラムが記録された記憶媒体だけでなく、そのプログラム自体も各実施形態に含まれる。また、上述の実施形態に含まれる１又は２以上の構成要素は、各構成要素の機能を実現するように構成されたＡＳＩＣ（Application  Specific  Integrated  Circuit）、ＦＰＧＡ（Field  Programmable  Gate  Array）等の回路であってもよい。
【００９０】
該記憶媒体としては例えばフロッピー（登録商標）ディスク、ハードディスク、光ディスク、光磁気ディスク、ＣＤ（Compact  Disk）−ＲＯＭ、磁気テープ、不揮発性メモリカード、ＲＯＭを用いることができる。また該記憶媒体に記録されたプログラム単体で処理を実行しているものに限らず、他のソフトウェア、拡張ボードの機能と共同して、ＯＳ（Operating  System）上で動作して処理を実行するものも各実施形態の範疇に含まれる。
【００９１】
上述の各実施形態の機能により実現されるサービスは、ＳａａＳ（Software  as  a  Service）の形態でユーザに対して提供することもできる。
【００９２】
なお、上述の実施形態は、いずれも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【００９３】
上述の実施形態の一部又は全部は、以下の付記のようにも記載されうるが、以下には限られない。
【００９４】
（付記１）
照合対象者の眼を含む画像に基づいて、着色コンタクトレンズが装用されているか否かを判定する判定部と、
前記判定部により前記着色コンタクトレンズが装用されていると判定された場合に、前記画像に含まれる虹彩の領域のうち前記虹彩の外周を含む所定範囲を除いた領域から抽出された特徴量を用いて前記虹彩の照合を行う照合部と、
を備えることを特徴とする虹彩照合システム。
【００９５】
（付記２）
前記所定範囲は、前記虹彩の外周及び内周の位置に応じて定められることを特徴とする付記１に記載の虹彩照合システム。
【００９６】
（付記３）
前記所定範囲は、前記虹彩の外周半径及び内周半径に応じて定められることを特徴とする付記１又は２に記載の虹彩照合システム。
【００９７】
（付記４）
前記所定範囲は、前記虹彩の外周の端部を含み、かつ前記虹彩の外周から内周に向かって６割以上の幅を有する円環である
ことを特徴とする付記１乃至３のいずれか１項に記載の虹彩照合システム。
【００９８】
（付記５）
前記所定範囲は、前記虹彩の外周の端部を含み、前記虹彩の外周から内周に向かって６割の幅を有する円環である
ことを特徴とする付記１乃至４のいずれか１項に記載の虹彩照合システム。
【００９９】
（付記６）
前記判定部は、前記着色コンタクトレンズの着色箇所を更に判定し、
前記所定範囲は、前記着色箇所に基づいて定められる
ことを特徴とする付記１に記載の虹彩照合システム。
【０１００】
（付記７）
前記照合部は、前記判定部により前記着色コンタクトレンズが装用されていないと判定された場合に、前記虹彩の全体を特徴量の抽出範囲として照合を行う
ことを特徴とする付記１乃至６のいずれか１項に記載の虹彩照合システム。
【０１０１】
（付記８）
前記画像から前記虹彩の側部を含む判定対象画像を抽出する抽出部を更に備え、
前記判定部は、前記判定対象画像に基づいて、前記着色コンタクトレンズが装用されているか否かを判定する
ことを特徴とする付記１乃至７のいずれか１項に記載の虹彩照合システム。
【０１０２】
（付記９）
前記判定部により前記着色コンタクトレンズが装用されていると判定された場合に、前記照合対象者に対し対光反射による瞳孔の収縮を起こさせるための処理を行う処理部を更に備える
ことを特徴とする付記１乃至８のいずれか１項に記載の虹彩照合システム。
【０１０３】
（付記１０）
前記判定部により前記着色コンタクトレンズが装用されていると判定された場合に、前記照合対象者に対し前記着色コンタクトレンズを回転させるための処理を行う処理部を更に備える
ことを特徴とする付記１乃至８のいずれか１項に記載の虹彩照合システム。
【０１０４】
（付記１１）
照合対象者の眼を含む画像に基づいて、着色コンタクトレンズが装用されているか否かを判定するステップと、
前記着色コンタクトレンズが装用されていると判定された場合に、前記画像に含まれる虹彩の領域のうち前記虹彩の外周を含む所定範囲を除いた領域から抽出された特徴量を用いて前記虹彩の照合を行うステップと、
を備えることを特徴とする虹彩照合方法。
【０１０５】
（付記１２）
コンピュータに、
照合対象者の眼を含む画像に基づいて、着色コンタクトレンズが装用されているか否かを判定するステップと、
前記着色コンタクトレンズが装用されていると判定された場合に、前記画像に含まれる虹彩の領域のうち前記虹彩の外周を含む所定範囲を除いた領域から抽出された特徴量を用いて前記虹彩の照合を行うステップと、
を実行させることを特徴とするプログラムが記憶された記憶媒体。
【０１０６】
この出願は、２０１７年８月３０日に出願された日本出願特願２０１７−１６５４０３を基礎とする優先権を主張し、その開示の全てをここに取り込む。
【符号の説明】
【０１０７】
１０、２０、４０                  虹彩照合システム
３０                              画像処理システム
９０                              眼
９１                              瞳孔
９２                              虹彩
９３                              マスク領域
９４                              特徴量抽出領域
１２１                            画像取得部
１２２                            瞳孔検出部
１２３                            虹彩検出部
１２４                            判定対象画像抽出部
１２５                            サイズ変更部
１２６                            評価値算出部
１２７、２０１、３０２、４０１    判定部
１２８、４０２                    処理部
１２９                            表示部
１３０                            抽出範囲設定部
１３１                            特徴量算出部
１３２、２０２                    照合部
１３３                            記憶部
３０１                            抽出部
Ｒ１、Ｒ２、Ｒ１ａ、Ｒ２ａ        判定対象画像
【図１】
2019044943.tif 000003
【図２】
2019044943.tif 000004
【図３】
2019044943.tif 000005
【図４】
2019044943.tif 000006
【図５】
2019044943.tif 000007
【図６】
2019044943.tif 000008
【図７】
2019044943.tif 000009
【図８】
2019044943.tif 000010
【図９】
2019044943.tif 000011
【図１０】
2019044943.tif 000012
【図１１】
2019044943.tif 000013
【図１２】
2019044943.tif 000014
【図１３】
2019044943.tif 000015
【図１４】
2019044943.tif 000016
【図１５】
2019044943.tif 000017
【図１６】
2019044943.tif 000018
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
照合対象者の眼を含む画像に基づいて、着色コンタクトレンズが装用されているか否かを判定する判定部と、
前記判定部により前記着色コンタクトレンズが装用されていると判定された場合に、前記画像に含まれる虹彩の領域のうち前記虹彩の外周を含む所定範囲を除いた領域から抽出された特徴量を用いて前記虹彩の照合を行う照合部と、
を備えることを特徴とする虹彩照合システム。
【請求項２】
前記所定範囲は、前記虹彩の外周及び内周の位置に応じて定められることを特徴とする請求項１に記載の虹彩照合システム。
【請求項３】
前記所定範囲は、前記虹彩の外周半径及び内周半径に応じて定められることを特徴とする請求項１又は２に記載の虹彩照合システム。
【請求項４】
前記所定範囲は、前記虹彩の外周の端部を含み、かつ前記虹彩の外周から内周に向かって６割以上の幅を有する円環である
ことを特徴とする請求項１乃至３のいずれか１項に記載の虹彩照合システム。
【請求項５】
前記判定部は、前記着色コンタクトレンズの着色箇所を更に判定し、
前記所定範囲は、前記着色箇所に基づいて定められる
ことを特徴とする請求項１に記載の虹彩照合システム。
【請求項６】
前記照合部は、前記判定部により前記着色コンタクトレンズが装用されていないと判定された場合に、前記虹彩の全体を特徴量の抽出範囲として照合を行う
ことを特徴とする請求項１乃至５のいずれか１項に記載の虹彩照合システム。
【請求項７】
前記判定部により前記着色コンタクトレンズが装用されていると判定された場合に、前記照合対象者に対し対光反射による瞳孔の収縮を起こさせるための処理を行う処理部を更に備える
ことを特徴とする請求項１乃至６のいずれか１項に記載の虹彩照合システム。
【請求項８】
前記判定部により前記着色コンタクトレンズが装用されていると判定された場合に、前記照合対象者に対し前記着色コンタクトレンズを回転させるための処理を行う処理部を更に備える
ことを特徴とする請求項１乃至６のいずれか１項に記載の虹彩照合システム。
【請求項９】
照合対象者の眼を含む画像に基づいて、着色コンタクトレンズが装用されているか否かを判定するステップと、
前記着色コンタクトレンズが装用されていると判定された場合に、前記画像に含まれる虹彩の領域のうち前記虹彩の外周を含む所定範囲を除いた領域から抽出された特徴量を用いて前記虹彩の照合を行うステップと、
を備えることを特徴とする虹彩照合方法。
【請求項１０】
コンピュータに、
照合対象者の眼を含む画像に基づいて、着色コンタクトレンズが装用されているか否かを判定するステップと、
前記着色コンタクトレンズが装用されていると判定された場合に、前記画像に含まれる虹彩の領域のうち前記虹彩の外周を含む所定範囲を除いた領域から抽出された特徴量を用いて前記虹彩の照合を行うステップと、
を実行させることを特徴とするプログラム。
【国際調査報告】
2019044943.tif 000019
2019044943.tif 000020